(57)【特許請求の範囲】
【請求項１】
ＩＰ（Ｉｎｔｅｒｎｅｔ  Ｐｒｏｔｏｃｏｌ）パケット信号を、時分割多重して伝送し、伝送したＩＰパケット信号を時分割分離するパケットネットワークと、
ＩＰパケット信号を変調し、周波数多重して伝送し、伝送したＩＰパケット信号を周波数分離して復調するＲＦ（Ｒａｄｉｏ  Ｆｒｅｑｕｅｎｃｙ）ネットワークと、
前記パケットネットワークからのＩＰパケット信号と前記ＲＦネットワークからのＩＰパケット信号とをパケット多重するＩＰ多重化装置と、
前記ＩＰ多重化装置からのＩＰパケット信号を伝送するホームネットワークと、
を備え、
前記ＩＰ多重化装置は、前記ホームネットワークからのＩＰパケット信号を前記パケットネットワークへ出力する
ことを特徴とする通信ネットワーク。
【請求項２】
ＩＰパケット信号を変調し、周波数多重してＲＦ信号として伝送するＲＦネットワークからのＲＦ信号を、周波数分離してＩＰパケット信号に復調するＲＦ信号受信変換部と、
ＩＰパケット信号を、時分割多重して伝送し、伝送したＩＰパケット信号を時分割分離するパケットネットワークからのＩＰパケット信号と、前記ＲＦ信号受信変換部からのＩＰパケット信号とを、パケット多重してホームネットワークへ出力するＩＰパケット多重化部と、を備え、
前記ＩＰパケット多重化部は、前記ホームネットワークからのＩＰパケット信号を前記パケットネットワークへ出力することを特徴とするＩＰ多重化装置。
【請求項３】
前記ＲＦ信号受信変換部は、
前記ＲＦ信号から、ＩＰパケット信号が周波数多重されている周波数キャリアを分離するＲＦ周波数分離部と、
前記ＲＦ周波数分離部の出力信号のバンドパスフィルタ処理を行うバンドパス処理部と、
前記バンドパス処理部の出力信号から、中間周波数成分を生成するＩＦ（Ｉｎｔｅｒｍｅｄｉａｔｅ  Ｆｒｅｑｕｅｎｃｙ）生成部と、
前記ＩＦ生成部の出力信号を、デジタル信号に変換するＡＤ（Ａｎａｌｏｇ−ｔｏ−Ｄｉｇｉｔａｌ）変換部と、
前記ＡＤ変換部の出力信号の出力信号を、ナイキスト周波数の半分よりも大きい周波数帯域の信号成分を抑圧するナイキストフィルタ部と、
前記ナイキストフィルタ部の出力信号の位相誤差を補正する位相回転制御部と、
前記位相回転制御部の出力信号から、周波数軸上で変調されたキャリアを復調する復調部と、
前記復調部の出力信号から、誤り訂正符号を復号化する誤り訂正符号復号部と、
前記誤り訂正符号復号部からの出力信号を、ＩＰパケット信号にするＩＰパケット変換部と、
を備えることを特徴とする請求項２に記載のＩＰ多重化装置。
【請求項４】
前記ＩＰパケット多重化部は、
前記ＲＦ信号受信変換部からのＩＰパケット信号を受信する第１受信部と、
前記パケットネットワークからのＩＰパケット信号を受信する第２受信部と、
前記第１受信部及び前記第２受信部に入力されるＩＰパケット信号を一時的に蓄積するバッファ部と、
前記第１受信部からのＩＰパケット信号と前記第２受信部からのＩＰパケット信号をパケット多重するスイッチ部と、
ＩＰパケット信号のアドレスを登録し記憶するアドレス登録メモリと、
当該ＩＰパケット信号の優先度及び前記アドレス登録メモリに記憶されているアドレスに従い、前記スイッチ部に、ＩＰパケット信号を多重化させる制御部と、
前記スイッチ部からのパケット多重されたＩＰパケット信号を送出する多重化信号送信部と、
を備えることを特徴とする請求項２又は３に記載のＩＰ多重化装置。
【請求項５】
前記ＩＰパケット多重化部からのＩＰパケット信号を出力するポートを複数備え、
前記ＩＰパケット多重化部は、パケット多重したＩＰパケット信号を前記ポートのいずれかまたはすべてへ転送することを特徴とする請求項２から４のいずれかに記載のＩＰ多重化装置。
【請求項６】
前記ＲＦネットワーク及び前記パケットネットワークの回線終端部をさらに備えることを特徴とする請求項２から５のいずれかに記載のＩＰ多重化装置。
【発明の詳細な説明】
【技術分野】
【０００１】
本発明は、ＩＰ（Ｉｎｔｅｒｎｅｔ  Ｐｒｏｔｏｃｏｌ）パケット信号ソースからのＩＰパケット信号が、何らかの変調方式によりＲＦ（Ｒａｄｉｏ  Ｆｒｅｑｕｅｎｃｙ）信号として周波数軸上に多重化されて伝送されるネットワークと、ＩＰパケット信号として時間軸上に多重化されて伝送されるネットワークに送出され、これらのネットワークからの信号が受信側で別々に受信及び復調され再びＩＰパケット信号として出力され、それらＩＰパケット信号を多重化して出力することを特徴とするＩＰネットワークと、本ＩＰネットワークにおいて受信側で、上述の２つの異なる伝送ネットワークから出力されたＩＰパケット信号同士を多重化し出力することを特徴とするＩＰ多重化装置に関するものである。
【背景技術】
【０００２】
光アクセス網において、ＩＰパケット信号を送信する方法として、これまでにＧＥ−ＰＯＮ（Ｇｉｇａｂｉｔ  Ｅｔｈｅｒｎｅｔ（登録商標）  ＰＯＮ）方式やメディアコンバータ方式が実用化されている。ＧＥ−ＰＯＮは、光アクセス網のトポロジがパッシブな部品である光スプリッタを利用して１：３２分岐であるような、いわゆるＰＯＮ（Ｐａｓｓｉｖｅ  Ｏｐｔｉｃａｌ  Ｎｅｔｗｏｒｋ）形態において使用される、イーサネット（登録商標）パケットを送受信する方式である（例えば、非特許文献１参照。）。ＧＥ−ＰＯＮ方式では光ファイバ中をＩＭ（Ｉｎｔｅｎｓｉｔｙ  Ｍｏｄｕｌａｔｉｏｎ）（パルス）のデジタルベースバンド形式で伝送され、１Ｇｂｐｓ双方向のデータ信号の送受信が実現されている。メディアコンバータ方式は、光ファイバを１：１に配備した、いわゆるＳＳ（Ｓｉｎｇｌｅ  Ｓｔａｒ）形態において使用される。どちらの方式においても、加入者側に配置される回線終端装置のＵＮＩ（Ｕｓｅｒ  Ｎｅｔｗｏｒｋ  Ｉｎｔｅｒｆａｃｅ）はイーサネット（登録商標）であり、そのインタフェースの物理形状としてＲＪ４５コネクタが具備されているため、カテゴリ５以上のケーブルを接続し、イーサネット（登録商標）パケットとして入出力できるため、ＩＰパケット信号の送受信が可能になる。
【０００３】
一方、光アクセス網においては、ＧＥ−ＰＯＮやメディアコンバータのような光パルス伝送方式とは異なり、周波数軸上に変調された信号を伝送するＲＦ方式がある。現在では、ＷＤＭ（Ｗａｖｅｌｅｎｇｔｈ  Ｄｉｖｉｓｉｏｎ  Ｍｕｌｔｉｐｌｅｘｉｎｇ）により上記のＧＥ−ＰＯＮ方式の信号とともに伝送されている。この方式は９０〜２１００ＭＨｚの周波数帯に６ＭＨｚの帯域幅を有するキャリアを約１００キャリア以上ＳＣＭ（Ｓｕｂ−Ｃａｒｒｉｅｒ  Ｍｕｌｔｉｐｌｅｘｉｎｇ）多重し、それを光信号に変換しＩＭで送信する方法や、光の広帯域性を利用して３ＧＨｚ近傍までアップコンバートしＦＭ（Ｆｒｅｑｕｅｎｃｙ  Ｍｏｄｕｌａｔｉｏｎ）一括変換して送信する方法等が実用化されている（例えば、非特許文献２参照。）。ＩＭで送信する方法に比べＦＭ一括変換して送信する方法の方が反射や雑音に対する耐性が高く長距離伝送が可能である。ＲＦ方式の場合、回線終端装置であるＯＮＵ（Ｏｐｔｉｃａｌ  Ｎｅｔｗｏｒｋ  Ｕｎｉｔ）からの出力インタフェースは同軸ケーブルである。これはこの方式により提供されているサービスが多チャンネル映像配信サービスであり、映像視聴のためのＴＶ（Ｔｅｌｅｖｉｓｉｏｎ）映像機やＳＴＢ（Ｓｅｔ  Ｔｏｐ  Ｂｏｘ）向けに提供されているという理由による。
【０００４】
ところで、ＲＦ方式による伝送は多チャンネル映像配信向けだけに限られるものではない。例えば、携帯電話では無線周波数上でキャリア信号を変調して通信を行い、イーサネット（登録商標）パケット等にカプリングされたＩＰパケット信号をやりとりすることも可能である。またＣＡＴＶ（Ｃａｂｌｅ  Ｔｅｌｅｖｉｓｉｏｎ）規格であるＤＯＣＳＩＳ（Ｄａｔａ  Ｏｖｅｒ  Ｃａｂｌｅ  Ｓｅｒｖｉｃｅ  Ｉｎｔｅｒｆａｃｅ  Ｓｐｅｃｉｆｉｃａｔｉｏｎｓ）を用いてもＩＰパケット信号の送受信が可能である（例えば、非特許文献３参照。）。
【０００５】
現在、光アクセス網においてはＩＰパケット信号の提供はＧＥ−ＰＯＮ方式による通信系ネットワークからに限られているが、ＲＦ方式によるＩＰパケット信号配信がＧＥ−ＰＯＮ方式による通信系ネットワークよりも有利な場合がある。ＲＦ方式によるＩＰパケット信号配信は、一斉同報的にＵＤＰ（Ｕｓｅｒ  Ｄａｔａｇｒａｍ  Ｐｒｏｔｏｃｏｌ）パケットを配信するような場合、例えば、地震や津波などの災害情報やカルーセル方式で配信されるソフトウェアやファームウェアの更新等の場合において有利である。通信系ネットワークでこれらの配信を行う場合には、ネットワーク内のマルチキャストルータ等のノード装置の処理能力等に限界があるため、大規模に一斉同報配信するのはルータ等の増強をしない限り難しい。一方、ＲＦ方式によるネットワーク配信ではマルチキャストルータ等の能動装置が存在せず、また光増幅中継が可能であるので、安定かつ経済的に提供が可能となる。更に、通信系ネットワークの場合、宅内において、カテゴリ５以上のイーサネット（登録商標）ケーブルの敷設が必要なのに対し、ＲＦ方式による場合は既設の同軸ケーブルを利用できるため配線の手間が不要である等の利点もある。このように光アクセス網においてＲＦ方式によるＩＰパケット信号配信サービスが実現できれば非常に魅力的であるにもかかわらず、現在のところ実現されていない。
【０００６】
さて、ＧＥ−ＰＯＮ方式等の通信系ネットワークとＲＦ方式による多チャンネル映像配信系ネットワークはそれぞれのネットワークの回線終端装置が別筐体となっていて、機能の異なる端末、すなわちＰＣ（Ｐｅｒｓｏｎａｌ  Ｃｏｍｐｕｔｅｒ）やＴＶ受像機がそれぞれに接続されている。ＦＭ一括変換方式を用いた光アクセス網では、Ｖ−ＯＮＵの筐体中にＷＤＭスプリッタが内蔵されており、光波長の分離を行う。したがって、ＧＥ−ＰＯＮ方式で提供される通信系ネットワークの回線終端装置であるＧＥ−ＯＮＵに接続されている光ファイバは一旦Ｖ−ＯＮＵを経由してＧＥ−ＯＮＵに入力される。最近ではこれら２つの回線終端装置を一筐体化して簡素化や利便性を向上させる試みがなされている。それでも現状ではＩＰパケット信号はＧＥ−ＯＮＵからの送受信となってしまう。また仮にＲＦ方式で伝送するＲＦネットワークによりＩＰパケット信号を伝送することが可能になったとしても、Ｖ−ＯＮＵのインタフェースは同軸ケーブルであるため、同軸ケーブルを使ったイーサネット（登録商標）規格が全く普及していないことを考えると、広く普及しているカテゴリ５以上のケーブルでＩＰパケット信号の伝送を提供することが望まれる。
【０００７】
このように現状では、ＧＥ−ＰＯＮ方式で提供されるネットワークからのＩＰパケット信号はＧＥ−ＰＯＮ方式のネットワーク回線終端装置から、また原理的に可能と考えられるＲＦ方式のネットワークからのＩＰパケット信号はそのＲＦ方式のネットワークの回線終端装置から、というように２つの異なるネットワークからのＩＰパケット信号の出力はそれぞれの回線終端装置から別々に出力されることしかできないという問題が生じる。そのため、ユーザ端末からみて同じＩＰパケットによる信号にもかかわらず、２つの異なるネットワークから提供されているため、どちらかのネットワークからのＩＰパケット信号のみを受信せざるを得ないか、もしくは多重化のための装置が別に必要になるといった利便性を損なうという課題があった。
【０００８】
現状では、２つのネットワークから提供される信号はそれぞれの回線終端装置から出力される。そのためユーザ利便性の悪さがある。このことを図７により説明する。図７は、現在において、光アクセス網を通じて、ＧＥ−ＰＯＮ方式によりＩＰパケット信号が提供され、ＲＦ方式により周波数多重された多チャンネル映像信号が提供される光アクセスシステムの全体イメージを示した模式図である。ＧＥ−ＰＯＮの局側伝送装置であるＧＥ−ＯＬＴ（Ｇｉｇａｂｉｔ  Ｅｔｈｅｒｎｅｔ（登録商標）−Ｏｐｔｉｃａｌ  Ｌｉｎｅ  Ｔｅｒｍｉｎａｌ）１５ｂからの光信号はＷＤＭカプラ５１によりＲＦ系の光信号と波長多重される。このとき、ＧＥ−ＰＯＮ方式では、１．３μｍと１．４９μｍの２波長が、ＲＦ方式では１．５５μｍの光波長が使用される。波長多重された光信号は光パワースプリッタ５２により３２分岐される。光アクセス網を通ってきた光信号はまず、宅内側のＲＦ方式の回線終端装置であるＶ−ＯＮＵ１６ａに入力される。Ｖ−ＯＮＵ１６ａにはＷＤＭスプリッタ５３が内蔵されていて、波長多重されていたＧＥ−ＰＯＮ方式による光信号とＲＦ系の光信号とを分離する。分離されたＧＥ−ＰＯＮ方式の光信号はＧＥ−ＰＯＮの回線終端装置であるＧＥ−ＯＮＵ１６ｂに入力される。ＧＥ−ＯＮＵ１６ｂでＰＯＮフレームからイーサネット（登録商標）フレームへの変換処理等が行われ、ＧＥ−ＯＮＵ１６ｂからはイーサネット（登録商標）インタフェースとしてイーサネット（登録商標）パケットが出力される。
【０００９】
一方のＲＦ方式については、ＨＥ（Ｈｅａｄ  Ｅｎｄ）５４設備から多チャンネル映像配信網１０３を通じて、局側の伝送装置であるＶ−ＯＬＴ（Ｖｉｄｅｏ−Ｏｐｔｉｃａｌ  Ｌｉｎｅ  Ｔｅｒｍｉｎａｌ）１５ａに入力される。光アクセス網ではＷＤＭカプラ５１によりＧＥ−ＰＯＮの光信号と合波され、光パワースプリッタ５２により３２分岐された後、宅内側のＲＦ系の回線終端装置であるＶ−ＯＮＵ１６ａで終端される。Ｖ−ＯＮＵ１６ａからの出力は同軸インタフェースであり、９０〜２１００ＭＨｚ帯にわたり周波数多重されたＳＣＭ映像信号が出力される。一般的には宅内におけるＰＣ１８とＴＶ受像機１９の配信場所は異なっている場合が多く、Ｖ−ＯＮＵ１６ａがＴＶ受像機１９の近くに設置されれば、そこからＧＥ−ＯＮＵ１６ｂに入力されるまでの光配線が煩雑になる可能性がある。
【非特許文献１】ＩＥＥＥ８０２．３ａｈ−２００４，“ＩＥＥＥ  Ｓｔａｎｄａｒｄ  ｆｏｒ  Ｉｎｆｏｒｍａｔｉｏｎ  ｔｅｃｈｎｏｌｏｇｙ−Ｔｅｌｅｃｏｍｍｕｎｉｃａｔｉｏｎｓ  ａｎｄ  ｉｎｆｏｒｍａｔｉｏｎ  ｅｘｃｈａｎｇｅ  ｂｅｔｗｅｅｎ  ｓｙｓｔｅｍｓ−Ｌｏｃａｌ  ａｎｄ  ｍｅｔｒｏｐｏｌｉｔａｎ  ａｒｅａ  ｎｅｔｗｏｒｋｓ−Ｓｐｅｃｉｆｉｃ  ｒｅｑｕｉｒｅｍｅｎｔｓ  Ｐａｒｔ  ３：Ｃａｒｒｉｅｒ  Ｓｅｎｓｅ  Ｍｕｌｔｉｐｌｅ  Ａｃｃｅｓｓ  ｗｉｔｈ  Ｃｏｌｌｉｓｉｏｎ  Ｄｅｔｅｃｔｉｏｎ（ＣＳＭＳ／ＣＤ）  Ａｃｃｅｓｓ  Ｍｅｔｈｏｄ  ａｎｄ  Ｐｈｙｓｉｃａｌ  Ｌａｙｅｒ  Ｓｐｅｃｉｆｉｃａｉｏｎｓ  Ａｍｅｎｄｍｅｎｔ：Ｍｅｄｉａ  Ａｃｃｅｓｓ  Ｃｏｎｔｒｏｌ  Ｐａｒａｍｅｔｅｒｓ，  Ｐｈｙｓｉｃａｌ  Ｌａｙｅｒｓ，ａｎｄ  Ｍａｎａｇｅｍｅｎｔ  Ｐａｒａｍｅｔｅｒｓ  ｆｏｒ  Ｓｕｂｓｃｒｉｂｅｒ  Ａｃｃｅｓｓ  Ｎｅｔｗｏｒｋｓ”．
【非特許文献２】ＩＴＵ−Ｔ  Ｊ．１８５，“Ｔｒａｎｓｍｉｓｓｉｏｎ  ｅｑｕｉｐｍｅｎｔ  ｆｏｒ  ｔｒａｎｓｆｅｒｒｉｎｇ  ｍｕｌｔｉ−ｃｈａｎｎｅｌ  ｔｅｌｅｖｉｓｉｏｎ  ｓｉｇｎａｌｓ  ｏｖｅｒ  ｏｐｔｉｃａｌ  ａｃｃｅｓｓ  ｎｅｔｗｏｒｋｓ  ｂｙ  ＦＭ  ｃｏｎｖｅｒｓｉｏｎ”．
【非特許文献３】Ｃａｂｌｅ  Ｌａｂｓ．，“Ｄａｔａ  ｏｖｅｒ  ｃａｂｌｅ  ｓｅｒｖｉｃｅ  ｉｎｔｅｒｆａｃｅ  ｓｐｅｃｉｆｉｃａｔｉｏｎ  ＤＯＣＳＩＳ３．０”．
【発明の開示】
【発明が解決しようとする課題】
【００１０】
図８は、ＧＥ−ＰＯＮ方式で提供されたＩＰパケット信号とＲＦ方式で提供されたＩＰパケット信号がユーザ端末装置であるＰＣ１８に受信されるイメージを示したものである。ここで、ＲＦ方式によるＩＰパケット信号が、例えば周波数軸上のＶＨＦ（Ｖｅｒｙ  Ｈｉｇｈ  Ｆｒｅｑｕｅｎｃｙ）帯のキャリア信号を変調して、重畳されていて、下り方向のみの片方向形態で提供されることを想定している。上述のように、図８のような光アクセス網の形態においてＲＦ方式によるＩＰパケット信号伝送は現在のところ実用化されていないが原理的には可能であるため図７との対比のため示した。Ｖ−ＯＮＵ１６ａから出力された同軸インタフェースにはＳＣＭされた多チャンネル映像信号とＩＰパケット信号（ＲＦ方式）が重畳されている。それを多チャンネル映像信号とＩＰパケット信号（ＲＦ方式）とに分離する装置５５に入力し、多チャンネル映像信号とＩＰパケット信号（ＲＦ方式）とに分離し、それぞれＰＣ１８とＴＶ受像機１９に入力する。ＧＥ−ＰＯＮによるＩＰパケット信号も提供されているため、ユーザにとって、同じＩＰパケット信号の提供でありながら２つの異なる回線終端装置や経路で提供されるといったわずらわしさが生じる。
【００１１】
このようにそれぞれのネットワークの信号はそれぞれの回線終端装置から出力されるという課題があった。また前述のようにＲＦネットワークでのＩＰパケット信号の配信は一斉同報配信に向いていて、かつ、配信にあたりネットワーク負荷がかからないという点からも宅内の既設同軸配線がそのまま使用できるという点からも有利であるが、現在のところＲＦ方式によるＩＰパケット信号の配信は実用化されていないという課題がある。仮にＲＦ方式によるＩＰパケット信号配信が提供されたとしてもＶ−ＯＮＵ１６ａから同軸インタフェースで提供される以外に現状では対応できない。図８に描かれている、ＳＣＭ多チャンネル映像信号とＩＰパケット信号（ＲＦ方式）との分離装置５５は存在しないため、ＳＣＭ多チャンネル信号とＩＰパケット信号（ＲＦ方式）とを分離する装置が必要であるという課題があった。
【００１２】
そこで、本発明は、通信ネットワークによるＩＰパケット信号とＲＦ方式のネットワークによるＩＰパケット信号とをひとつのイーサネット（登録商標）配線で利用可能とすることを目的とする。
【課題を解決するための手段】
【００１３】
上記課題を解決するために、本発明に係る通信ネットワークは、ＲＦ方式によるＩＰパケット信号配信ネットワークと通信系ネットワークの２つのネットワークをＩＰパケット配信用の通信ネットワークとして利用することを特徴とする。ここで、周波数軸上にＳＣＭされたＲＦ信号の変調方式としては、一例として、６４ＱＡＭ（Ｑｕａｄｒａｔｕｒｅ  Ａｍｐｌｉｔｕｄｅ  Ｍｏｄｕｌａｔｉｏｎ）、２５６ＱＡＭといったＱＡＭ方式や、ＱＰＳＫ（Ｑｕａｄｒａｔｕｒｅ  Ｐｈａｓｅ  Ｋｅｙｉｎｇ）、８ＰＳＫといったＰＳＫ変調方式が挙げられる。本発明においては、これら変調方式以外の変調であっても構わない。
【００１４】
具体的には、本発明に係る通信ネットワークは、ＩＰパケット信号を、時分割多重して伝送し、伝送したＩＰパケット信号を時分割分離するパケットネットワークと、ＩＰパケット信号を変調し、周波数多重して伝送し、伝送したＩＰパケット信号を周波数分離して復調するＲＦネットワークと、前記パケットネットワークからのＩＰパケット信号と前記ＲＦネットワークからのＩＰパケット信号とをパケット多重するＩＰ多重化装置と、前記ＩＰ多重化装置からのＩＰパケット信号を伝送するホームネットワークと、備え、前記ＩＰ多重化装置は、前記ホームネットワークからのＩＰパケット信号を前記パケットネットワークへ出力することを特徴とする。
【００１５】
ＩＰ多重化装置がＲＦネットワーク及びパケットネットワークからの信号を別々に受信してＩＰパケット信号とし、当該ＩＰパケット信号を多重化して出力するので、ＩＰパケット信号とＲＦ方式の多チャンネル映像信号をひとつのホームネットワークで利用可能とすることができる。それ故に２つのネットワークから別々に提供されるＩＰパケット信号が、ユーザからみるとあたかも一つのネットワークから提供されているように見えるようになる。
すなわち、従来多チャンネル映像配信が主であったＲＦネットワークにおいてもＩＰパケット信号を周波数上で変調・伝送し、本発明のＩＰ多重化装置内でＳＣＭ映像信号とＩＰパケット信号（ＲＦ方式）の重畳されている変調されたキャリア信号とを分離し、再ＩＰパケット信号化してＩＰパケット信号（ＲＦ方式）をパケット多重することにより、ＧＥ−ＰＯＮ系ネットワークからのＩＰパケット信号とネットワークを切り替えたりする必要なくシームレスに受信することが可能となる。これにより、例えば、一斉同報的な情報を含んだＩＰパケット信号はＲＦネットワークにより提供され、かつ両ＩＰパケット信号はユーザから見て一つのイーサネット（登録商標）配線で提供することが可能となり、魅力的なサービスの展開が容易に可能となる。
【００１６】
さらに、２つの異なるネットワークからＩＰパケット信号が提供されていても、それぞれの回線終端装置からの出力となるため、非常に使い勝手の悪い状況になっていることを解決するために、２つの異なるネットワークから提供されるＩＰパケット信号を多重化し、一つのインタフェースとしてＰＣやＴＶ受像機などのユーザ端末に提供することが可能なＩＰ多重化装置を提供することを特徴とする。すなわち、ＲＦ信号として周波数軸上に多重化され伝送された伝送信号がＩＰパケット信号を伝送するＲＦネットワークとＧＥ−ＰＯＮ等の時間軸上の信号として伝送する通信系ネットワークの２つの異なるネットワークから提供されるＩＰパケット信号を多重化し、一つのインタフェースとしてユーザ端末に提供することが可能なＩＰ多重化装置を提供する。
【００１７】
具体的には、本発明に係るＩＰ多重化装置は、ＩＰパケット信号を変調し、周波数多重してＲＦ信号として伝送するＲＦネットワークからのＲＦ信号を、周波数分離してＩＰパケット信号に復調するＲＦ信号受信変換部と、ＩＰパケット信号を、時分割多重して伝送し、伝送したＩＰパケット信号を時分割分離するパケットネットワークからのＩＰパケット信号と、前記ＲＦ信号受信変換部からのＩＰパケット信号とを、パケット多重してホームネットワークへ出力するＩＰパケット多重化部と、を備え、前記ＩＰパケット多重化部は、前記ホームネットワークからのＩＰパケット信号を前記パケットネットワークへ出力することを特徴とする。
ＲＦ信号受信変換部がＲＦネットワークからの信号をＩＰパケット信号とし、ＩＰパケット多重化部が当該ＩＰパケット信号を多重化して出力するので、ＩＰパケット信号とＲＦ方式の多チャンネル映像信号をひとつのイーサネット（登録商標）配線で利用可能とすることができる。
【００１８】
本発明に係るＩＰ多重化装置では、前記ＲＦ信号受信変換部は、前記ＲＦ信号から、ＩＰパケット信号が周波数多重されている周波数キャリアを分離するＲＦ周波数分離部と、前記ＲＦ周波数分離部の出力信号のバンドパスフィルタ処理を行うバンドパス処理部と、前記バンドパス処理部の出力信号から、中間周波数成分を生成するＩＦ生成部と、前記ＩＦ生成部の出力信号を、デジタル信号に変換するＡＤ変換部と、前記ＡＤ変換部の出力信号の出力信号を、ナイキスト周波数の半分よりも大きい周波数帯域の信号成分を抑圧するナイキストフィルタ部と、前記ナイキストフィルタ部の出力信号の位相誤差を補正する位相回転制御部と、前記位相回転制御部の出力信号から、周波数軸上で変調されたキャリアを復調する復調部と、前記復調部の出力信号から、誤り訂正符号を復号化する誤り訂正符号復号部と、前記誤り訂正符号復号部からの出力信号を、ＩＰパケット信号にするＩＰパケット変換部と、を備えることが好ましい。
【００１９】
本発明に係るＩＰ多重化装置では、前記ＩＰパケット多重化部は、前記ＲＦ信号受信変換部からのＩＰパケット信号を受信する第１受信部と、前記パケットネットワークからのＩＰパケット信号を受信する第２受信部と、前記第１受信部及び前記第２受信部に入力されるＩＰパケット信号を一時的に蓄積するバッファ部と、前記第１受信部からのＩＰパケット信号と前記第２受信部からのＩＰパケット信号をパケット多重するスイッチ部と、ＩＰパケット信号のアドレスを登録し記憶するアドレス登録メモリと、当該ＩＰパケット信号の優先度及び前記アドレス登録メモリに記憶されているアドレスに従い、前記スイッチ部に、ＩＰパケット信号を多重化させる制御部と、前記スイッチ部からのパケット多重されたＩＰパケット信号を送出する多重化信号送信部と、を備えることが好ましい。
【００２０】
本発明に係るＩＰ多重化装置では、前記ＩＰパケット多重化部からのＩＰパケット信号を出力するポートを複数備え、前記ＩＰパケット多重化部は、パケット多重したＩＰパケット信号を前記ポートのいずれかまたはすべてへ転送することが好ましい。
【００２１】
本発明に係るＩＰ多重化装置では、前記ＲＦネットワーク及び前記パケットネットワークの回線終端部をさらに備えることが好ましい。
【発明の効果】
【００２２】
本発明により、通信ネットワークによるＩＰパケット信号とＲＦ方式のネットワークによるＩＰパケット信号とがひとつのイーサネット（登録商標）配線で利用可能となる。
【発明を実施するための最良の形態】
【００２３】
添付の図面を参照して本発明の実施の形態を説明する。以下に説明する実施の形態は本発明の構成の例であり、本発明は、以下の実施の形態に制限されるものではない。
【００２４】
（実施形態１）
図１は、本実施形態に係る通信ネットワークの全体構成を模式的に表した図である。本実施形態に係る通信ネットワークは、ＩＰパケット信号を、時分割多重して伝送し、伝送したＩＰパケット信号を時分割分離するパケットネットワーク１１２と、ＩＰパケット信号を変調し、周波数多重して伝送し、伝送したＩＰパケット信号を周波数分離して復調するＲＦネットワーク１１１と、パケットネットワーク１１２の時分割分離されるＩＰパケット信号とＲＦネットワークの復調されるＩＰパケット信号とをパケット多重して伝送するホームネットワーク１１５と、を備えることを特徴とする。
【００２５】
パケットネットワーク１１２は、ルータ１４ａ、パケット伝達ネットワーク１０２、ルータ１４ｂ、ＧＥ−ＯＬＴ１５ｂ、ＧＥ−ＯＮＵ１６ｂ及びＩＰ多重化装置１７で構成される。ＲＦネットワーク１１１は、ＳＣＭ装置１３、ＲＦ伝達ネットワーク１０１、Ｖ−ＯＬＴ１５ａ、Ｖ−ＯＮＵ１６ａ及びＩＰ多重化装置１７で構成される。ホームネットワーク１１５は、ＩＰ多重化装置１７及びＰＣ１８で構成される。
ＩＰソース１１からのＩＰパケット信号はスイッチ装置１２でＲＦネットワーク１１１とパケットネットワーク１１２とに入力させることができる。このとき、先に述べたように、一斉同報的なＩＰパケット信号はＲＦネットワーク１１１により配信したほうが有利であるため、ＵＤＰ／ＩＰパケット信号のアドレス等が一斉同報用アドレスであったならばスイッチ装置１２でＳＣＭ装置１３に振り分けを行う。そして、ＳＣＭ装置１３は、ＩＰパケット信号を周波数多重化してＲＦ信号とし、ＲＦ伝達ネットワーク１０１に送出する。一対一通信のような場合は、スイッチ装置１２は、ＩＰパケット信号のＩＰアドレスを見てパケットネットワーク１１２に入力するようにルータ１４ａに振り分けを行う。そして、ルータ１４ａは、ＩＰパケット信号をパケット伝達ネットワーク１０２に送出する。
【００２６】
双方のネットワークを伝送したＩＰパケット信号はそれぞれの回線終端装置１６で受信される。ＲＦ伝達ネットワーク１０１経由のＲＦ信号は、Ｖ−ＯＬＴ１５ａを介してＲＦ信号を受信するＶ−ＯＮＵ１６ａで受信され、同軸インタフェースを経由してＩＰ多重化装置１７に入力される。そして、ＩＰ多重化装置１７が、ＲＦ信号からＩＰパケット信号を生成する。またパケット伝達ネットワーク１０２経由のＩＰパケット信号は、ＧＥ−ＯＬＴ１５ｂを介してパケット信号を受信するＧＥ−ＯＮＵ１６ｂで受信され、イーサネット（登録商標）インタフェースを経由してＩＰ多重化装置１７に入力される。ＩＰ多重化装置１７は、双方のネットワークからのＩＰパケット信号を多重化し、一つのイーサネット（登録商標）インタフェースを経由してユーザのＰＣ１８に提供される。
【００２７】
図２は、本実施形態に係るＩＰ多重化装置１７の機能ブロックを模式的に表した図である。本実施形態に係るＩＰ多重化装置は、ＲＦネットワーク（図１に示す符号１１１）からのＲＦ信号を、周波数分離してＩＰパケット信号に復調するＲＦ信号受信変換部２３と、パケットネットワーク（図１に示す符号１１２）からのＩＰパケット信号と、ＲＦ信号受信変換部２３からのＩＰパケット信号とを、パケット多重するＩＰパケット多重化部２５と、を備える。
【００２８】
Ｖ−ＯＮＵ（図１に示す符号１６ａ）及びＧＥ−ＯＮＵ（図１に示す符号１６ｂ）からの２入力に対応して、同軸コネクタ２２及びＲＪ４５コネクタ２４が具備されている。同軸コネクタ２２には、ＩＰパケット信号を周波数軸上に多重化したＲＦ信号が入力される。ＲＪ４５コネクタ２４には、ＩＰパケット信号が入力される。同軸コネクタ２２に入力されたＲＦ信号はＲＦ信号受信変換部２３でＲＦ信号の受信処理及びパケット化のために、ＩＰパケット信号に復調される。ＲＦ信号受信変換部２３からのＩＰパケット信号は、ＧＥ−ＯＮＵからＲＪ４５コネクタ２４に入力されるＩＰパケット信号と、ＩＰパケット多重化部２５において両者がパケット多重される。ＩＰ多重化装置がＩＰパケット多重化部２５からのＩＰパケット信号を出力するポートを複数備える場合は、ＩＰパケット多重化部２５は、パケット多重したＩＰパケット信号を複数のポートのうちの所望のまたは全てのポートへ転送する。ＩＰパケット多重化部２５においてパケット多重されたＩＰパケット信号は、ＲＪ４５コネクタまたは光ファイバなどのイーサネット（登録商標）インタフェース２６から出力される。ここで、ＲＪ４５コネクタ２４やイーサネット（登録商標）インタフェース２６などのイーサネット（登録商標）インタフェースは、カテゴリ５ケーブルによる提供が利用可能であるが、将来光ファイバによるイーサネット（登録商標）規格、例えば１０００ＢａｓｅＳＸや１０００ＢａｓｅＬＸ等が提供される場合に備えて、ＲＪ４５コネクタ２４やイーサネット（登録商標）インタフェース２６などのイーサネット（登録商標）インタフェースも脱着かつ具備可能であることが好ましい。
【００２９】
図３は、本実施形態に係るＲＦ信号受信変換部２３の機能ブロックを模式的に表した図である。本実施形態に係るＲＦ信号受信変換部は、ＲＦ周波数分離部２３−１と、ＢＰ（バンドパス）処理部２３−２と、ＩＦ生成部２３−３と、ＡＤ変換部２３−４と、ナイキストフィルタ部２３−５ａ及び２３−５ｂと、位相回転制御部２３−６と、復調部２３−７と、誤り訂正符号復号部２３−８と、ＩＰパケット変換部２３−９とを備える。
【００３０】
ＲＦ周波数分離部２３−１は、同軸コネクタ（図２に示す符号２２）からのＲＦ信号から、ＩＰパケット信号が重畳されている周波数キャリアを分離する。これにより、周波数軸上でＳＣＭされ変調しているＩＰパケットの信号は、ＲＦ周波数分離部２３−１において、ＩＰパケット信号の重畳されている周波数キャリアのみ選択される。ＢＰ処理部２３−２は、ＲＦ周波数分離部２３−１の出力信号から、ＩＰパケット信号が多重化されている周波数成分を抽出する。これにより、選択されたキャリアはＢＰ処理部２３−２において、バンドパスフィルタ処理され、ＩＦ生成部２３−３に入力される。ＩＦ生成部２３−３では、局部発振器（不図示）によりキャリア周波数がＩＦ周波数にダウンコンバートされる。ダウンコンバートされた信号は、ＡＤ変換部２３−４でデジタル処理のためのＡＤ（Ａｎａｌｏｇ  ｔｏ  Ｄｉｇｉｔａｌ）変換を受け、その後変調の振幅成分であるＩ成分及び位相成分であるＱ成分に変換される。
【００３１】
変換された信号はそれぞれＩＳＩ（Ｉｎｔｅｒ  Ｓｙｍｂｏｌ  Ｉｎｔｅｒｆｅｒｅｎｃｅ）を抑圧するためのナイキストフィルタ２３−５ａ、２３−５ｂによるナイキスト処理が行われる。ナイキストフィルタ部２３−５ａ、２３−５ｂは、ＡＤ変換部２３−４の出力信号の出力信号を、ナイキスト周波数の半分よりも大きい周波数帯域の信号成分を抑圧する。位相雑音による影響を最小限にするため、位相回転制御部２３−６が位相回転制御処理を行う。例えば、位相回転制御部２３−６は、ナイキストフィルタ部２３−５ａ、２３−５ｂの出力信号のＩ成分とＱ成分間での位相誤差を検出して補正する。復調部２３−７は、位相回転制御部２３−６の出力信号から、ベースバンド信号に復調する。復調された信号は続く誤り訂正符号復号部２３−８で誤り訂正の符号化がなされている信号の復号化処理が行われる。誤り訂正符号の復号化が行われた段階では、信号はベースバンド信号であるため、これをパケット化するために、誤り訂正符号復号部２３−８からの出力信号を、ＩＰパケット信号にする処理がＩＰパケット変換部２３−９において行われる。変換されたＩＰパケット信号は後段の処理ブロックであるＩＰパケット多重化部（図２に示す符号２５）に渡される。
【００３２】
図４は、本実施形態に係るＩＰパケット多重化部２５の機能ブロックを模式的に表した図である。ＩＰパケット多重化部２５は、第１受信部としての受信部１ａと、第２受信部としての受信部１ｂと、スイッチ部３と、多重化信号送信部としての送信部４ｃと、送信用ＩＰパケット信号受信部としての受信部１ｃと、送信用ＩＰパケット信号送信部としての送信部４ｂと、受信部１ａ、１ｂ及び１ｃに入力されたＩＰパケット信号をそれぞれバッファ処理するバッファ部２ａ、２ｂ及び２ｃと、を備える。また、ＩＰパケット多重化部２５は、受信部１ａに入力されるＩＰパケット信号の優先制御を行う優先制御部５ａ、受信部１ｂに入力されるＩＰパケット信号の優先制御を行う優先制御部５ｂ、及び受信部１ｃに入力されるＩＰパケット信号の優先制御を行う優先制御部５ｃを備えることが好ましい。
【００３３】
図１に示すＧＥ−ＯＮＵ１６ｂからのＩＰパケット信号及びＶ−ＯＮＵ１６ａからのＲＦ信号に重畳されていてＩＰパケット変換処理されたＩＰパケット信号は、双方ともＩＰパケット信号としてＩＰパケット多重化部２５に入力される。このため入力系統が受信部１ａ及び１ｂの２入力ある。受信部１ａに、ＲＦ信号受信変換部２３からのＩＰパケット信号が入力される。受信部１ｂに、図２に示すＲＪ４５コネクタ２４からのＩＰパケット信号が入力される。ＩＰパケット多重化部２５における受信部１ａ及び１ｂで受信処理が行われ、ＩＰパケット信号のアドレスや優先度を検出してバッファ２ａ、２ｂ経由でスイッチ部３に入力される。スイッチ部３は、受信部１ａからのＩＰパケット信号と受信部１ｂからのＩＰパケット信号を多重化する。スイッチ部３で制御を受けるため、その処理のための待ち時間にパケット廃棄を防止するためにバッファ２ａ、２ｂが設けられている。スイッチ部３で２つの入力系統のＩＰパケット信号が多重化され、出力側の送信部４ｃへと送られる。送信部４ｃは、スイッチ部３からの多重化されたＩＰパケット信号を送信する。送信部４ｃからの出力ＩＰパケットの信号はＰＣなどで受信される。また図４はスイッチ部３の出力側のポートが１ポートの場合であるが、２ポート以上の出力ポートを具備することも可能であり、外部制御信号入力部６から入力される外部制御信号により、外部制御信号制御部７で転送先を設定することができる。
【００３４】
図１に示すＰＣ１８からの送信の場合は、受信部１ｃに、図２に示すイーサネット（登録商標）インタフェース２６から送信用ＩＰパケット信号が入力される。ＰＣからの送信用ＩＰパケット信号が受信部１ｃを経由してスイッチ部３に入力される。このとき優先制御部５ｃが、送信用ＩＰパケット信号のアドレスや優先度を検出し、スイッチ部３における転送制御を行うことが好ましい。転送制御に際しては、スイッチ部３のポートＡかポートＢかの制御を行い、対応するポートに転送される。例えば、ポートＢが図１に示すＧＥ−ＯＮＵ１６ｂに接続されているポートとすれば、優先制御部５ｃは、上りの送信用ＩＰパケット信号はポートＢを選択するように転送制御を行う。そして、スイッチ部３は、受信部１ｃに入力された送信用ＩＰパケット信号を送信部４ｂに出力する。また遅延が少ないＩＰパケット信号を上り方向に転送したい場合、ポートＢに、高優先度にパケットが転送されるように外部制御信号制御部７に予め設定をしておけば低遅延で、優先的に転送処理を行うような制御が行われる。これにより、送信部４ｂは、受信部１ｃに入力される送信用ＩＰパケット信号を図２に示すＲＪ４５コネクタ２４へ出力する。なお、ここでは上りの送信用ＩＰパケット信号はＧＥ−ＰＯＮ方式のパケットネットワーク（図１に示す符号１１２）のみに送信されることを想定しているため、今回の例ではＲＦネットワーク（図１に示す符号１１１）に接続されるポートＡの送信部４ａは機能を停止することができるようにする。またポートＡとポートＢに同時にＩＰパケット信号が入力された場合は、一般的なスイッチ等と同様の処理を行えばよい。
【００３５】
図５に、本実施形態に係る通信ネットワーク及びＩＰ多重化装置１７を用いてユーザのＰＣにＩＰパケット信号が配信される実施例の一つを説明する。図５に示すように、ＨＥ５４に接続されている、例えば、ソフトウェアダウンロードや緊急通報等の一斉同報情報配信サーバからのＩＰパケット信号は、スイッチ装置１２により、例えば、多チャンネル映像配信網などのＲＦ伝達ネットワーク１０１に送出され、ＨＥ５４内の送信装置においてＲＦキャリア上の信号として変調され、他の信号（例えば、映像信号）とともにＳＣＭされる。その後ＦＭ一括変換方式等によりＲＦ伝達ネットワーク１０１に提供される。周波数軸上で変調されてＲＦ信号に重畳されたＩＰパケット信号がＶ−ＯＮＵ１６ａから同軸インタフェースを通じてＲＦ信号受信変換部２３に入力される。Ｖ−ＯＮＵ１６ａからのＩＰパケット信号は、ＲＦ信号受信変換部２３においてＲＦ信号からＩＰパケット信号へと変換される。
【００３６】
一方、ＶＯＤ（Ｖｉｄｅｏ  Ｏｎ  Ｄｅｍａｎｄ）サーバ５７等から提供されるＩＰパケット信号は、スイッチ装置１２によりインターネット等のパケット伝達ネットワーク１０２に入力され、ＧＥ−ＰＯＮ方式の光アクセス網ではＧＥ−ＯＬＴ１５ｂを経由してＧＥ−ＯＮＵ１６ｂからイーサネット（登録商標）インタフェースによりＩＰ多重化装置１７に入力される。上述の２つのネットワークから提供されたＩＰパケット信号はＩＰ多重化装置１７内で多重され、ユーザ側にイーサネット（登録商標）インタフェースにより出力される。出力されたＩＰパケット信号は、例えばＰＣ１８に入力される。図５のように、ここでユーザはＶＯＤサーバ５７からの映像を視聴しながら一斉同報情報配信サーバ５６から一斉同報的に提供される緊急放送等の情報を受信することができる。なお、一斉同報配信情報などは通信系のパケット伝達ネットワーク１０２を使用するとネットワーク上のリソースを大量に消費するため、収容設計によっては輻輳したりしてパケット廃棄が発生し、受信できなくなる可能性もある。これに対し、ＲＦ伝達ネットワーク１０１を使用してこのような情報のＩＰパケット信号を提供すると輻輳の心配がなく、ＰＣ１８にて受信できなくなる可能性も低い。
【００３７】
図６は、本実施形態に係るＩＰ多重化装置の別形態の一例を示す模式図である。図６に示すＩＰ多重化装置は、ＯＮＵ部１７ａとＣＡＳ（Ｃｏｍｍｕｎｉｃａｔｉｏｎ  Ａｄａｐｔａｉｏｎ  Ｓｙｓｔｅｍ）部１７ｂとを備える。ＯＮＵ部１７ａにＲＦネットワークの回線終端部としてのＶ−ＯＮＵ部１６ｃ及びパケットネットワークの回線終端部としてのＧＥ−ＯＮＵ部１６ｄが搭載され、ＣＡＳ部１７ｂに図１に示すＩＰ多重化装置１７、同軸コネクタ３６、ＲＪ４５コネクタ４１が搭載される。ＩＰ多重化装置１７は、同軸コネクタ３５、ＲＪ４５コネクタ３９及び４０を備える。このように、ＯＮＵ部１７ａに図１に示すＶ−ＯＮＵ１６ａとＧＥ−ＯＮＵ１６ｂが収容され、ＣＡＳ部１７ｂにＩＰ多重化装置１７が収容されて、これらが一つの筐体５８に収まっていることで、２つの異なるネットワークからＩＰパケット信号が提供されていても、ＲＪ４５コネクタ４１を一つのインタフェースとしてＰＣやＴＶ受像機などのユーザ端末に提供することができる。
【００３８】
光アクセス網からの光ファイバが筐体の光ファイバ入力端子３１から入力され、筐体５８内のＷＤＭスプリッタ３２により１．５５μｍのＲＦ系の波長と、１．３／１．４９μｍのＧＥ−ＰＯＮの波長とに分離される。分離された波長の光はそれぞれ、Ｖ−ＯＮＵ部１６ｃ及びＧＥ−ＯＮＵ部１６ｄに入力される。それぞれのＯＮＵ部１６ｃ、１６ｄでは光アクセス網の回線終端が行われる。Ｖ−ＯＮＵ部１６ｃで終端されたＲＦ信号は同軸インタフェース上を周波数軸にＳＣＭされた映像信号とＩＰパケット信号（ＲＦ方式）が重畳されている。そこでＶ−ＯＮＵ部１６ｃの同軸コネクタ３４からの出力は２つに分岐され、一方はＣＡＳ部１７ｂに搭載された同軸コネクタ３５からＲＦ信号受信変換部２３に入力される。入力されたＩＰパケット信号の重畳されているＲＦ信号は、ＲＦ信号受信変換部２３においてＩＰパケット化され、ＧＥ−ＯＮＵ部１６ｄからのＩＰパケット信号と別々にＩＰパケット多重化部２５に入力される。ＩＰパケット多重化部２５で２つのＯＮＵ部からのＩＰパケット信号がパケット多重され、出力端子であるＲＪ４５コネクタ４０から多重されたＩＰパケット信号が出力される。ＣＡＳ部１７ｂにＩＰ多重化装置１７を搭載することにより、小型で、ユーザがネットワークを意識しないような使い方が可能となる。
【産業上の利用可能性】
【００３９】
本発明は、ＲＦ方式による多チャンネル映像配信ネットワークを利用してＩＰパケット配信サービスに利用することができる。
【図面の簡単な説明】
【００４０】
【図１】本実施形態に係る通信ネットワークの全体構成を模式的に表した図である。
【図２】本実施形態に係るＩＰ多重化装置の機能ブロックを模式的に表した図である。
【図３】本実施形態に係るＲＦ信号受信変換部の機能ブロックを模式的に表した図である。
【図４】本実施形態に係るＩＰパケット多重化部の機能ブロックを模式的に表した図である。
【図５】本実施形態に係る通信ネットワーク及びＩＰ多重化装置を用いてユーザのＰＣにＩＰパケット信号が配信される実施例の一つである。
【図６】本実施形態に係るＩＰ多重化装置の別形態の一例を示す模式図である。
【図７】現在において、光アクセス網を通じて、ＧＥ−ＰＯＮ方式によりＩＰパケット信号が提供され、ＲＦ方式により周波数多重された多チャンネル映像信号が提供させる光アクセスシステムの全体イメージを示した模式図である。
【図８】ＧＥ−ＰＯＮ方式で提供されたＩＰパケット信号とＲＦ方式で提供されたＩＰパケット信号がユーザ端末装置であるＰＣに受信されるイメージを示したものである。
【符号の説明】
【００４１】
１ａ、１ｂ、１ｃ  受信部
２ａ、２ｂ、２ｃ  バッファ
３  スイッチ部
４ａ、４ｂ、４ｃ  送信部
５ａ、５ｂ、５ｃ  優先制御部
５−１ａ、５−１ｂ、５−１ｃ  アドレス／優先度検出部
５−２ａ、５−２ｂ、５−２ｃ  制御部
５−３ａ、５−３ｂ、５−３ｃ  アドレス登録メモリ
６  外部制御信号制御部
７  外部制御信号入力部
１１  ＩＰソース
１２  スイッチ
１３  ＳＣＭ装置
１４ａ、１４ｂ  ルータ
１５ａ  Ｖ−ＯＬＴ
１５ｂ  ＧＥ−ＯＬＴ
１６ａ  Ｖ−ＯＮＵ
１６ｂ  ＧＥ−ＯＮＵ
１７  ＩＰ多重化装置
１７ａ  ＯＮＵ部
１７ｂ  ＣＡＳ部
１８  ＰＣ
１９  ＴＶ受像機
２２  同軸コネクタ
２３  ＲＦ信号受信変換部
２３−１  ＲＦ周波数分離部
２３−２  ＢＰ処理部
２３−３  ＩＦ生成部
２３−４  ＡＤ変換部
２３−５ａ、２３−５ｂ  ナイキストフィルタ部
２３−６  位相回転制御部
２３−７  復調部
２３−８  誤り訂正符号復号部
２３−９  ＩＰパケット変換部
２４  ＲＪ４５コネクタ
２５  ＩＰパケット多重化部
２６  イーサネット（登録商標）インタフェース
３１  光ファイバ入力端子
３２  ＷＤＭスプリッタ
３３  光ファイバ入力端子
３４、３５、３６  同軸コネクタ
３７  光ファイバ入力端子
３８、３９、４０、４１  ＲＪ４５コネクタ
５１  ＷＤＭカプラ
５２  光パワースプリッタ
５３  ＷＤＭカプラ
５４  ヘッドエンド（ＨＥ）
５５  ＳＣＭ信号／ＩＰパケット信号分離装置
５６  一斉同報情報配信サーバ
５７  ＶＯＤサーバ
５８  筐体
１０１  ＲＦ伝達ネットワーク
１０２  パケット伝達ネットワーク
１０３  多チャンネル映像配信網
１０４  インターネット網
１１１  ＲＦネットワーク
１１２  パケットネットワーク
１１５  ホームネットワーク
【図１】
0005115975.tif 000002
【図２】
0005115975.tif 000003
【図３】
0005115975.tif 000004
【図４】
0005115975.tif 000005
【図５】
0005115975.tif 000006
【図６】
0005115975.tif 000007
【図７】
0005115975.tif 000008
【図８】
0005115975.tif 000009